(57)【特許請求の範囲】
【請求項１】
本体と表示扉とを備え、本体は、発光部と、発光部の背面に配置する背面板とを有し、表示扉は、枠体と枠体に取り付けた表示シートとを有し、表示扉に反射板が取り付けてあり、反射板は、発光部より背面側で且つ発光部に向けて延出していることを特徴とする表示装置
【請求項２】
本体と表示扉とを備え、本体は、発光部を有し、表示扉は、枠体と枠体に取り付けた表示シートとを有し、表示扉に反射板が取り付けてあり、反射板は、一端側が表示扉に固定してあり、他端側が発光部側に向けて延出するとともに表示扉に固定してあることを特徴とする表示装置。
【請求項３】
本体には、少なくとも反射板と発光部との隙間に配置される光反射部材が設けてあることを特徴とする請求項１又は２記載の表示装置。
【請求項４】
反射板が屈曲していることを特徴とする請求項１、２又は３記載の表示装置。
【発明の詳細な説明】
【技術分野】
【０００１】
本発明は、看板等の表示装置に関する。
【背景技術】
【０００２】
表示装置としては、特開２０１０−０５４５６９号公報に開示されるものや、また、図６に示すもののように、発光部３３や反射板３４を内蔵する本体３１と、枠体３５に表示面となるシート３６を張った表示扉３２を備え、表示扉３２は、本体３１の正面側にヒンジ４０により開閉自在に取り付けてあるもの等が挙げられる。さらに、反射板３４は、端部を本体３１正面側端部の隙間に差し込むと共に、反射板押さえ部材３７で本体３１正面側からネジ３８で固定されており、さらに、表示装置は、躯体壁面に対して本体３１正面側からアンカーボルト３９を打ち込んで固定してある。
【先行技術文献】
【特許文献】
【０００３】
特開２０１０−０５４５６９号公報
【発明の概要】
【発明が解決しようとする課題】
【０００４】
上記のような表示装置は、反射板を本体側に取り付ける仕様であったから、躯体壁面に取り付ける態様のものでは、あらかじめ本体に反射板が取り付けてあると、反射板が邪魔になって本体正面側からアンカーボルトが打ち込めなくなる。したがって、反射板の取り付けは、本体を躯体壁面に固定した後で行わなければならず、このことから、表示装置を高所に設置する場合、反射板の取り付けに際しては高所作業を要するため、作業者に危険が伴うものであった。また、表示装置を躯体壁面に設置した後に、本体内部の掃除や発光部の交換等をするときには、本体に固定してある反射板が邪魔になることから、メンテナンスに際しても非常に難があった。本発明は、上記課題を鑑みてなされたものであり、設置が安全に行えてメンテナンスも容易な表示装置を提供することにある。
【課題を解決するための手段】
【０００５】
本発明の請求項１記載の発明は、本体と表示扉とを備え、本体は、発光部と、発光部の背面に配置する背面板とを有し、表示扉は、枠体と枠体に取り付けた表示シートとを有し、表示扉に反射板が取り付けてあり、反射板は、発光部より背面側で且つ発光部に向けて延出していることを特徴とする。
【０００６】
本発明のうち請求項２記載の発明は、本体と表示扉とを備え、本体は、発光部を有し、表示扉は、枠体と枠体に取り付けた表示シートとを有し、表示扉に反射板が取り付けてあり、反射板は、一端側が表示扉に固定してあり、他端側が発光部側に向けて延出するとともに表示扉に固定してあることを特徴とする。
【０００７】
本発明のうち請求項３記載の発明は、本体には、少なくとも反射板と発光部との隙間に配置される光反射部材が設けてあることを特徴とする。
【発明の効果】
【０００８】
本発明のうち請求項４記載の発明では、反射板が屈曲していることを特徴とする。
【０００９】
本発明の請求項１及び２記載の発明によれば、表示扉に反射板が取り付けてあることから、表示扉を開ければ、反射板が邪魔にならずに、本体におけるアンカーボルトを躯体壁面に打ち込む箇所が露出する。これにより、あらかじめ反射板を取り付けた状態で表示装置を現場に搬入できるので、表示装置を高所の躯体壁面に設置する場合、従来のように高所で反射板を取り付ける必要がなく、表示装置の設置が安全に行える。また、表示扉に反射板が取り付けてあることから、表示扉を開けたときには、本体内部が広く露出し、掃除や発光部の交換が容易に行えるので、メンテナンス性の良好な表示装置を提供できる。
【００１０】
本発明の請求項３記載の発明によれば、少なくとも反射板と発光部との間の隙間に配置される光反射部材が本体に設けてあることにより、発光部から背面側に照らされた光を漏らさず本体正面側に反射するので、光のロスを少なくできて、表示シートの発光状態を良好にできる。
【図面の簡単な説明】
【００１１】
本発明の請求項４記載の発明によれば、反射板を屈曲させて剛性を高めていることから、反射板を肉厚の薄い金属板で形成した場合であっても反射板の歪みが防止できるので、表示面に発光斑を生じさせずに鮮明な表示状態を維持できる。
【発明を実施するための形態】
【００１２】
以下に、図面に基づいて本実施による表示装置の実施の形態を説明する。
本実施による表示装置は、図１のように、躯体壁面２３に取り付ける横長矩形状をなす宣伝広告用サインとして適用するものを挙げており、本体１と、本体１の正面側に開閉自在に取り付けられる表示扉２とからなっている。本体１は、図２（ｃ）のように、背面板を兼ねるとともに正面側に反射面を有するカラートタン（光反射部材）３と、カラートタン３の上下左右の四周を囲む側枠４，５，６とから構成してあり、カラートタン３の内周側には、本体補強縦材２６に取り付けた蛍光管（発光部）２０が配置してある。また、躯体壁面２３に対する表示装置の取り付けについては、本体正面側からカラートタン３に本体補強横材２７を挟んでアンカーボルト２４を打ち込んで固定してある。表示扉２は、図１を参照すれば、枠体８と、表示シート１２と、反射板１８とから構成してあり、表示シート１２は、ＦＦシート（フレキシブルフェイス）が使用されており、正面側に表示目的となる任意の文字や絵柄等が施してある。また、枠体８は、図２（ａ）〜（ｃ）のように、本体１の側枠４，５，６に沿って上枠９と下枠１０と左右枠１１で四周を囲むものであり、図３（ａ）もあわせて参照すれば、各々の枠９，１０，１１の枠内周側にはアール部１３を有すると共に、各枠９，１０，１１の外周側には、溝部１４が設けてあり、その溝部１４には表示シート１２の端部１２ａを巻き込んで押さえる押さえ部材１５がネジ止めしてあり、さらに、着脱可能なキャップ１６により、溝部１４が隠蔽してある。また、枠体８は、本体１上側の側枠４にヒンジ１７で開閉自在に取り付けてあり、これにより、表示扉２が本体１の下側から開け閉めできる構造となっている。
【００１３】
反射板１８は、図１を参照すれば、肉厚の薄い金属板を正面側から背面側に広角に屈曲させることにより、枠体８の上枠９から発光部２０の上部または下部近傍に向かう傾斜片２１と、その傾斜片２１の発光部２０側端から発光部２０に向けてカラートタン３と平行して伸びる垂直片２２とを有する略への字状をなしており、肉厚の薄い金属板を屈曲させることで反射板１８の剛性を高めて歪みを防止している。また、反射板１８は、図３（ａ）のように、表示扉２の枠体８のうち上枠９と下枠１０（図１参照）のアール部１３に対し、それぞれ工具で回せる六角ネジ１９で取り付けてあり、図２（ｂ）もあわせて参照すれば、表示扉２を閉じた状態では、発光部２０を上下に挟む位置に配置されるとともに、垂直片２２は、発光部２０よりも背面側に位置し、且つ垂直片２２と発光部２０との間には、隙間Ｐが設けてある。これにより、表示扉２を開閉するときに互いが干渉しないようになっており、上記の隙間Ｐを通って背面側に照らされた発光部２０からの光は、カラートタン３により表示扉２側へ反射されるので、光のロスが少ない。また、反射板１８が屈曲し、その垂直片２２が発光部２０の背面側に平行に配置されることから、発光部２０の長手方向の全長に亘って光を本体１正面側に向けて反射するので、表示シート１２の発光斑が発生しない。さらに、反射板１８の端縁１８ａは、ヘミング加工をして枠体１８側に折り返してあることにより、屈曲することに加えて反射板１８が一層歪みにくい構造となっている（図３（ｂ）参照）。また、本表示装置では、上下に配置される各反射板１８は、上枠９と下枠１０に跨って取り付けてある表示扉補強縦材７に固定された反射板補強材２５で連結してある。
【００１４】
また、表示扉２から反射板１８を取り外すときは、図３（ｂ）のように、表示扉２を開け、表示扉２の縁部を外部に露出させることにより、表示シート１２と反射板１８との間に、上記した六角ネジ１９のネジ頭が目視できる。そのネジ頭を表示シート１２と反射板１８の間から差し入れた工具で回すことで、反射板１８が枠体８から外れる。尚、反射板１８を六角ネジ１９で枠体８に固定する位置は、各表示扉補強縦材７を挟む両側位置としてある。
【００１５】
図４は、本実施による表示装置において表示シート１２を張り替えるときの状態を示すものである。表示シート１２の張替え作業をするときには、表示扉２を本体１から外し、表示シート１２側が上向きとなるように地面Ｇに置くが、このときに表示扉２の荷重を反射板１８の反射板補強材２５で受けるように地面に置かれる。これにより、キャップ１６の着脱時やシート１２を枠体８に沿わせるときに、表示扉２を地面Ｇに強く押し付けても、表示扉補強縦材７と反射板補強材２５で荷重を受けることにより反射板１８に負荷がかからず、したがって、反射板１８が変形しない構造となっている。
【００１６】
本実施による表示装置を上記のように形成すると、図２（ｃ）を参照すれば、表示扉２を開くと反射板１８も一緒に開くことにより、カラートタン３の反射面に取り付けてある本体補強横材２７のアンカーボルト２４用のネジ孔が露出するので、躯体壁面２３に表示装置を取り付けるときに、反射板１８を後から本体１に取り付ける必要がない。
【００１７】
本発明は、上記実施形態に限るものではなく、図５（ａ）（ｂ）のように、反射板２８は、傾斜片２８ａと、その傾斜片２８ａの発光部２０側の端から屈曲してカラートタン３に向かう水平片２８ｂとから構成されるものでもよく、発光部２０の光を表示シート１２に対して均等に反射する角度に設定した傾斜片２２，２８ａを有する上で、反射板１８，２８が変形しにくい位置で任意の方向に屈曲するものが選択される。また、背面板は、上記実施形態のカラートタン３のように、反射板を兼ねるものでもよいし、反射手段を備えていない金属板の上から反射シートを貼るようなものであってもよく、さらに、カラートタン３などの光反射部材は、本体１背面側の略全面に配置してもよいが、本体１正面側から見たときに、少なくとも反射板１８，２８と発光部２０の間に配置するものであっても、発光部２０から背面側に向けて照らされた光を正面側に反射し、光のロスを少なくできる。この場合には、本体１の背面側に反射手段を備えていない背面板を配置し、反射板１８，２８と発光部２０の隙間Ｐが位置する背面板の箇所のみにカラートタン３を張る等するものである。また、反射板１８，２８の屈曲する角度については、本体１の縦横の寸法や本体１側枠４，５，６の見込み寸法に合わせて適宜変更されるものである。さらに、反射板１８，２８は、本体１正面側に向けて且つ表示シート１２のほぼ全体に光を反射できるものであれば、その形状や大きさは限定されない。また、表示扉２は、上記実施形態のような本体１下側から開いて回動させる態様のもの以外に、本体１上側から開くように回動してもよいし、本体１左右側のいずれかから開くように回動するものであってもよい。また、反射板１８，２８を枠体８に固定する六角ネジ１９についても、工具で締め込み、または、緩めるものの他、手で回して行えるものであってもよい。また、上記実施形態では、発光部２０が横に長いものについて示したが、縦に長いものであってもよい。さらに、反射板１８，２８を発光部２０の上下に配置したものについて示したが、発光部２０の左右に反射板１８，２８を配置するものでもよい。また、本発明の表示装置は、店舗用サインの他、案内標識等、その適用範囲を限るものではない。
【符号の説明】
【００１８】
１  本体
２  表示扉
３  カラートタン（光反射部材）
８  枠体
１２  表示シート
１８，２８  反射板
２０  発光部
Ｐ  隙間
【図１】
0005615670.tif 000002
【図２】
0005615670.tif 000003
【図３】
0005615670.tif 000004
【図４】
0005615670.tif 000005
【図５】
0005615670.tif 000006
【図６】
0005615670.tif 000007